(57)【要約】【課題】  携帯電話端末を利用することで、一般的なテレビ受像機を用い、かつ、サーバに負荷をかけることなくザッピングを行う。【解決手段】  チャンネル情報共有装置（コンテンツサーバ３）は、携帯電話端末１からグルーピングされたユーザのグループ登録情報を受信して登録する。そして、あるユーザの携帯電話端末１からチャンネル情報を受信してそのユーザが属するグループを検索し、更にグルーピングされた他のユーザ情報を取得して他のユーザの携帯電話端末に対し、あるユーザのチャンネル情報を同報送信しチャンネルの切替え誘導を行う。【選択図】      図１
2006005896.tif 000002
【特許請求の範囲】
【請求項１】
複数の携帯電話端末と通信ネットワークを介して接続されるチャンネル情報共有装置であって、
グルーピングされた前記携帯電話端末のユーザのグループ登録情報を記憶する記憶手段と、
前記携帯電話端末のユーザの携帯電話端末からチャンネル情報を受信し、前記記憶手段を参照して前記携帯電話端末のユーザが属するグループを検索し、グルーピングされた他のユーザを検索するグループ情報取得手段と、
前記グルーピングされた他のユーザの携帯電話端末に対し、前記携帯電話端末のユーザのチャンネル情報を同報送信してチャンネルの切替え指示を行うチャンネル情報同報送信手段と、
を具備することを特徴とするチャンネル情報共有装置。
【請求項２】
前記グルーピングは、グループに参加するユーザの指示に基づいて行われることを特徴とする請求項１に記載のチャネル情報共有装置。
【請求項３】
ユーザのチャンネル指定に基づきテレビ受像機にチャンネル信号を出力するとともに、通信ネットワークに対してチャンネル情報を出力する携帯電話端末と、
前記携帯電話端末と前記通信ネットワークを介して接続され、前記携帯電話端末から前記チャンネル情報を受信し、グルーピングされた前記携帯電話端末のユーザのグループ登録情報を記憶する記憶手段を参照して前記携帯電話端末のユーザが属するグループを検索し、グルーピングされた他のユーザを検索して当該他のユーザの携帯電話端末に対し前記携帯電話端末のユーザのチャンネル情報を同報送信してチャンネル切替え指示を行うチャンネル情報共有装置と、
を具備することを特徴とするチャンネル情報共有システム。
【請求項４】
複数ユーザ間で携帯電話端末を用いてチャンネル情報を共有するチャンネル情報共有方法であって、
前記携帯電話端末のユーザの携帯電話端末からチャンネル情報を受信し、内部に記憶しているグルーピングされた前記携帯電話端末のユーザのグループ登録情報を参照して前記携帯電話端末のユーザが属するグループを検索し、グルーピングされた他のユーザの情報を取得するステップと、
前記グルーピングされた他のユーザの携帯電話端末に対し、前記携帯電話端末のユーザのチャンネル情報を同報送信するステップと、
前記チャンネル情報に従うチャンネル指定に基づきテレビ受像機にチャンネル信号を出力してチャンネル切替えを行うステップと、
を有することを特徴とするチャンネル情報共有方法。
【請求項５】
複数の携帯電話端末と通信ネットワークを介して接続されるチャンネル情報共有装置に用いられるプログラムであって、
前記携帯電話端末のユーザの携帯電話端末からチャンネル情報を受信し、内部に記憶しているグルーピングされた前記携帯電話端末のユーザのグループ登録情報を参照して前記携帯電話端末のユーザが属するグループを検索し、グルーピングされた他のユーザの情報を取得する処理と、
前記グルーピングされた他のユーザの携帯電話端末に対し、前記携帯電話端末のユーザのチャンネル情報を同報送信してチャンネルの切替え指示を行う処理と、
をコンピュータに実行させるプログラム。
【発明の詳細な説明】
【技術分野】
【０００１】
本発明は、複数ユーザ間で携帯電話端末を用いてチャンネル情報を共有する、チャンネル情報共有装置およびシステム、ならびにチャンネル情報共有方法、プログラムに関する。
【背景技術】
【０００２】
近年、地上波によるテレビ放送に加え、ケーブルテレビ、衛星を利用したＢＳ、ＣＳ衛星放送等、様々な放送ネットワークが出現してきている。このため、視聴者の見たい番組を選択する選択肢が増えてきている。
ところで、ザッピングによるチャンネル選択方式は、番組と視聴者の出会いを作るうえで効果的な手法である。
【０００３】
ところで、一般的なザッピングによれば、視聴者が本来視聴したい番組あるいはチャンネルがあっても、ザッピングの過程でそのチャンネルに遭遇しないことがあり、見逃す可能性がある。また、グループで視聴する場合、グループ間で人気の番組であっても一般的なザッビングではそれらを客観的に把握することができず、このため、最適なチャンネル選択手段とはなりえない。
このため、視聴者の嗜好をその視聴履歴から推定し、視聴者に対して特定のチャンネルあるいは番組への選択を推奨する、あるいは制御するシステムが提案されている（例えば、特許文献１参照）。
【特許文献１】特開２００３−１８９３３３号公報
【発明の開示】
【発明が解決しようとする課題】
【０００４】
上記した特許文献１に開示された技術によれば、テレビ視聴者の嗜好を細かく分類し、特定嗜好の視聴者グループがどの番組を視聴しているかを把握したうえで、同じ嗜好の別の視聴者にも同じ番組が速やかに視聴できるように、推奨、もしくは制御することができる。
しかしながら、そのためにテレビ受像機は視聴者の過去の視聴履歴、あるいは現在を含む将来の視聴状況をサーバに通知し、サーバで特定の視聴グループが現在または将来どの番組を主に視聴するかを多数決で判断してテレビ受像機を制御する必要がある。このため。専用のテレビ受像機を必要とし、かつ、サーバの負荷が大きいといった欠点を有する。
【０００５】
本発明は上記事情に基づきなされたものであり、携帯電話端末を利用することで、一般的なテレビ受像機を用い、かつ、サーバに負荷をかけることなくザッピングを行い、例えば、あるグループに属する視聴者が他の番組視聴中であっても、グループの話題共有の観点から人気番組及びチャンネルへの誘導切替えを実現可能な、チャンネル情報共有装置およびシステム、ならびにチャンネル情報共有方法、プログラムを提供することを目的とする。
【課題を解決するための手段】
【０００６】
上記した課題を解決するために本発明の一実施形態は、複数の携帯電話端末と通信ネットワークを介して接続されるチャンネル情報共有装置であって、グルーピングされた前記携帯電話端末のユーザのグループ登録情報を記憶する記憶手段と、前記携帯電話端末のユーザの携帯電話端末からチャンネル情報を受信し、前記記憶手段を参照して前記携帯電話端末のユーザが属するグループを検索し、グルーピングされた他のユーザを検索するグループ情報取得手段と、前記グルーピングされた他のユーザの携帯電話端末に対し、前記携帯電話端末のユーザのチャンネル情報を同報送信してチャンネルの切替え指示を行うチャンネル情報同報送信手段と、を具備することを特徴とするチャンネル情報共有装置である。
【０００７】
上記の発明の一実施形態において、前記グルーピングは、グループに参加するユーザの指示に基づいて行われることを特徴としてもよい。
【０００８】
また、本発明の一実施形態は、ユーザのチャンネル指定に基づきテレビ受像機にチャンネル信号を出力するとともに、通信ネットワークに対してチャンネル情報を出力する携帯電話端末と、前記携帯電話端末と前記通信ネットワークを介して接続され、前記携帯電話端末から前記チャンネル情報を受信し、グルーピングされた前記携帯電話端末のユーザのグループ登録情報を記憶する記憶手段を参照して前記携帯電話端末のユーザが属するグループを検索し、グルーピングされた他のユーザを検索して当該他のユーザの携帯電話端末に対し前記携帯電話端末のユーザのチャンネル情報を同報送信してチャンネル切替え指示を行うチャンネル情報共有装置と、を具備することを特徴とするチャンネル情報共有システムである。
【０００９】
また、本発明の一実施形態は、複数ユーザ間で携帯電話端末を用いてチャンネル情報を共有するチャンネル情報共有方法であって、前記携帯電話端末のユーザの携帯電話端末からチャンネル情報を受信し、内部に記憶しているグルーピングされた前記携帯電話端末のユーザのグループ登録情報を参照して前記携帯電話端末のユーザが属するグループを検索し、グルーピングされた他のユーザの情報を取得するステップと、前記グルーピングされた他のユーザの携帯電話端末に対し、前記携帯電話端末のユーザのチャンネル情報を同報送信するステップと、前記チャンネル情報に従うチャンネル指定に基づきテレビ受像機にチャンネル信号を出力してチャンネル切替えを行うステップと、を有することを特徴とするチャンネル情報共有方法である。
【００１０】
また、本発明の一実施形態は、複数の携帯電話端末と通信ネットワークを介して接続されるチャンネル情報共有装置に用いられるプログラムであって、前記携帯電話端末のユーザの携帯電話端末からチャンネル情報を受信し、内部に記憶しているグルーピングされた前記携帯電話端末のユーザのグループ登録情報を参照して前記携帯電話端末のユーザが属するグループを検索し、グルーピングされた他のユーザの情報を取得する処理と、前記グルーピングされた他のユーザの携帯電話端末に対し、前記携帯電話端末のユーザのチャンネル情報を同報送信してチャンネルの切替え指示を行う処理と、をコンピュータに実行させるプログラムである。
【発明の効果】
【００１１】
本発明によれば、携帯電話端末を利用することで、一般的なテレビ受像機を用い、かつ、サーバに負荷をかけることなくザッピングを行うことができ、例えば、あるグループに属する視聴者が他の番組視聴中であっても、グループの話題共有の観点から人気番組及びチャンネルへの誘導切替えが実現できる。
【発明を実施するための最良の形態】
【００１２】
図１は、本発明の一実施形態に係わる放送番組連動型演出システムのシステム構成を説明するために引用した図である。
図１において、符号１は、携帯電話端末であり、赤外線によるチャンネルリモコン機能を持つ。携帯電話端末１が持つチャンネルリモコン機能については、例えば、特開２００３−７８９７７号公報により周知である。ここでは、携帯電話端末１は、ユーザのチャンネル指定に基づきテレビ受像機２にチャンネル信号を出力するとともに、コンテンツサーバ３に対してチャンネル情報を出力し、グルーピングされたユーザのグループ登録情報を作成し送信する機能を持つ。
なお、符号２は、放送番組が放映されるＴＶ受像機である。
【００１３】
符号３は、コンテンツプロバイダが管理する本発明のチャンネル情報共有装置として動作するコンテンツサーバであり、ユーザの携帯電話端末１からチャンネル情報を受信し、グループ登録情報が記憶される記憶装置（後述する）を参照して所属するグループを検索し、グルーピングされた他のユーザを検索して当該他のユーザの携帯電話端末１に対してそのチャンネル情報を同報送信してチャンネル切替え指示を行う機能を持つ。このため、コンテンツサーバ３は、ＩＰ（Internet Protocol）網５ならびに携帯電話網６、そして、基地局７経由で携帯電話端末１に接続される。
符号４は、放送局に設置される放送システムであり、放送システム４は、放送番組を地上波等により家庭内のＴＶ受像機２に放映する。また、放送システム４は、ＩＰ網５を介してコンテンツサーバ３に接続され、両者間で時刻の同期や番組情報等のやりとりが行われても良い。
【００１４】
図２は、図１に示す本発明実施形態のチャンネル情報共有装置（コンテンツサーバ３）の内部構成を機能展開して示したブロック図である。
図２に示されるように、コンテンツサーバ３は、グループ（Ｇｒ．）登録情報受信部３１と、チャンネル（ＣＨ）情報受信部３２と、Ｇｒ．情報検索部３３と、Ｇｒ．情報取得部３４と、ＣＨ情報同報送信部３５と、Ｇｒ．情報データベース（ＤＢ）３６で構成される。
【００１５】
Ｇｒ．登録情報受信部３１は、携帯電話端末１からグルーピングされたユーザのＧｒ．登録情報を受信し、記憶装置であるＧｒ．情報ＤＢ３６に登録する機能を持つ。また、ＣＨ情報受信部３２は、一方のユーザの携帯電話端末１からＣＨ情報を受信してＧｒ．情報検索部３３を起動する。Ｇｒ．情報検索部３３は、Ｇｒ．情報ＤＢ３６を参照してユーザが所属するグループを検索し、Ｇｒ．情報取得部３４を介してグルーピングされた他のユーザ情報を取得する。
ＣＨ情報同報送信部３５は、グルーピングされた他方のユーザの携帯電話端末１に対し、一方のユーザのチャンネル情報を同報送信してチャンネルの切替え指示（ＣＨ変更情報）を行う機能を持つ。
【００１６】
図３は、図１に示す携帯電話端末１の内部構成を機能展開して示したブロック図である。図３に示されるように、携帯電話端末１は、Ｇｒ．登録情報作成部１１と、Ｇｒ．登録情報送信部１２と、ＣＨ指定部１３と、ＣＨ検出部１４と、ＣＨ信号出力１５部と、ＣＨ情報送信部１６で構成される。
Ｇｒ．登録情報作成部１１は、ユーザ入力に基づき、グルーピングされたユーザのグループ登録情報を作成する機能を持ち、Ｇｒ．登録情報送信部１２は、これをＩＰ網５経由でコンテンツサーバ３へ送信する機能を持つ。登録情報作成部１１と、Ｇｒ．登録情報送信部１２は、例えば、メッセンジャが持つグルーピング機能を用い、電話帳リスト、あるいはグループ指定を行うユーザのメールアドレスを入力することで実現される。
【００１７】
一方、ＣＨ指定部１３は、各種キーにより構成され、ユーザからＴＶ受像機２に対する各種指示、例えば、電源のＯＮやＯＦＦ、チャンネル変更等の指示を受付ける。そして、ＣＨ検出部１４を介してＣＨが検出され、ＣＨ信号出力部１５は、検出されたＣＨに相当する赤外線信号を生成してＴＶ受像機２へ、ＣＨ情報送信部１６は、そのＣＨ情報をコンテンツサーバ３へ送信する。
【００１８】
図４は、本発明実施形態に係わるチャンネル情報共有システムの動作を示す動作シーケンス図である。ここでは、携帯電話端末１とコンテンツサーバ３間の関係が示されている。
図４において、携帯電話端末１は、まず、コンテンツサーバ３に対してグルーピングしたユーザのＧｒ．登録情報を作成し、送信する（Ｓ４１）。また、グループメンバに対し、自らが視聴する、あるいは視聴している番組を視聴させたいユーザが自己の携帯電話端末１に対してチャンネルの指定を行うと、携帯電話端末１がそのＣＨ情報を送信してグループに属するユーザに対しチャンネル変更を指示するようにコンテンツサーバ３へ依頼する（Ｓ４２）。
【００１９】
これらを受信したコンテンツサーバ３は、記憶装置であるＧｒ．情報ＤＢ３６に、先に受信したＧｒ．登録情報を登録し、同じく受信したＣＨ情報に基づきＧｒ．情報ＤＢ３６を検索してそのユーザが所属するグループを検索し、当該グループに属する他のユーザに対して受信したＣＨに変更すべく、そのＣＨ情報をそれぞれのユーザが所有する携帯電話端末１に同報送信する（Ｓ４３）。
図５にＧｒ．情報ＤＢ３６のデータ構造の一例が示されている。ここでは、ユーザＡからＧｒ．登録情報ならびにＣＨ情報を受信したものとし、同じグループに属するＢ、Ｃ、Ｄのユーザに同じＣＨ情報が同報送信される。ＣＨ情報を受信した携帯電話端末１は、そのＣＨ情報に従うチャンネル指定に基づきテレビ受像機２にチャンネル信号を出力してチャンネル切替えを行う。
【００２０】
図６、図７は、それぞれ、本発明一実施形態に係わるコンテンツサーバ３、携帯電話端末１の処理手順を示すフローチャートである。図６は、本発明実施形態のプログラムの処理手順も併せて示してある。以下、図６、図７に示すフローチャートを参照しながら本発明実施形態の動作について詳細に説明する。
なお、図７に示す処理は、各ユーザの携帯電話端末１のそれぞれによって実行されるものであるが、本実施の形態では、便宜的に、複数の携帯電話端末によって行われる一連の流れの中における、各携帯電話端末による処理を説明することにより、各処理の内容を説明する。
ここでは、ユーザが携帯電話端末１のアプリケーションプログラム（以下、単にアプリという）を起動することによって、Ｇｒ．登録、ならびにＣＨ変更動作が可能になる。
まず、携帯電話端末１は、ユーザによりアプリが起動された後（図７、Ｓ７１）、ユーザからの指示に応じてグループ登録のための入力を行う（Ｓ７２）。グループ登録入力は、上記したように、メッセンジャのグルーピング機能を利用するものとし、ここで、ユーザＡは、自身が属するグループ、およびグループメンバの登録のための入力を行うものとする。Ｇｒ．登録情報作成部１１を介して作成され、取り込まれたＧｒ．登録情報（例えば、ユーザＡはＧｒ．１に属し、他のグループメンバは、Ｂ、Ｃ、Ｄである）は、Ｇｒ．登録情報送信部１２によりコンテンツサーバ３へ送信される（Ｓ７３、Ｓ７４）。
【００２１】
コンテンツサーバ３は、携帯電話端末１から送信されるＧｒ．登録情報受信部３１を介して受信し（図６、Ｓ６１）、Ｇｒ．情報ＤＢ３６に格納する（Ｓ６２）。
グループメンバに対し、自らが視聴する、あるいは視聴している番組を視聴させたいユーザＡが自己の携帯電話端末１に対してチャンネルの指定を行うと、携帯電話端末１がそのＣＨ情報をコンテンツサーバ３に対して送信する（Ｓ７５）。このことにより、自身のＴＶ受像機２には、ＣＨ信号出力部１５を介してそのＣＨ情報に相当する信号が出力され（Ｓ７６）、また、コンテンツサーバ３に対しＣＨ情報送信部１６を介してそのＣＨ情報が送信される（Ｓ７７）。
【００２２】
コンテンツサーバ３は、ＣＨ情報をＣＨ情報受信部３２により受信すると（Ｓ６３、Ｙｅｓ）、Ｇｒ．情報検索部３３を起動し、Ｇｒ．情報検索部３３によるＧｒ．情報ＤＢ３６の検索が開始される（Ｓ６４）。ここでは、まず、ユーザＡが所属するグループの検索がなされ（Ｓ６４）、続いて、グループメンバの検索が実行される（Ｓ６５）。検索が終了することにより、ＣＨ情報同報送信部３５は、Ｇｒ．情報取得部３４によって取得されたＧｒ．１に属する他のユーザであるユーザＢ、Ｃ、Ｄに対してユーザＡから受信したＣＨ情報を同報送信する（Ｓ６６）。
上記したＣＨ情報を受信した他のユーザ（この例では、ユーザＢ、Ｃ、Ｄ）の携帯電話端末１は（Ｓ７８）、ＣＨ信号出力部１５によりそのＣＨに相当する赤外線信号を出力する（Ｓ７９）。このことにより、他のユーザのＴＶ受像機２のチャンネルの切替えが実行される。以上の動作は、ユーザによりアプリが終了されるまで継続される（Ｓ８０）。
また、この場合に他のユーザ（例えば、ユーザＢ）の携帯電話端末１において、ユーザによってチャンネルの指定が行われると、上記同様な動作によって、ＣＨ情報が同じグループに属する他のユーザ（この例では、ユーザＡ、Ｃ、Ｄ）の携帯電話端末１に送信され、この携帯電話端末１がＣＨ情報に対応するＣＨを指定する赤外線信号を出力する。これによって、他のユーザのＴＶ受像機２のチャンネルが設定される。
【００２３】
以上説明のように本発明は、携帯電話端末を利用することで、一般的なテレビ受像機を用い、かつ、サーバに負荷をかけることなくザッピングを行うものであり、このことにより、例えば、あるグループに属するユーザが他の番組視聴中であってもある番組へ強制的に切替え、誘導することができる。従って、グループで視聴する場合、グループ間で人気の番組の視聴を見逃すことがなくなり、また、グループの話題共有の観点から得られる効果は大きい。
【００２４】
また、グループへの参加はユーザの指示、即ちユーザの意思に基づいて行われており、グループへ参加することで他のユーザが視聴している番組を見逃さずにユーザ間で話題を共有し楽しむことができる。そのため、他のユーザの指示によって強制的にチャンネルの切替が行われてもユーザ間で問題が発生することはないとも考えられる。
【００２５】
なお、上記実施の形態では、ユーザの携帯電話端末１においてグループ登録を行って、コンテンツサーバ３に送信するようになっていたが、本発明はこれに限られず、例えば、コンテンツサーバ３において、ユーザの携帯電話端末１からの指示によってグループ登録をするようにしてもよい。その際、１のユーザの携帯電話端末１からグループに含める他のユーザの指示を受け付けてグループ登録するようにしてもよく、各ユーザの携帯電話端末１から所属したい所定のグループの指定を受け付けてグループ登録するようにしてもよい。
【００２６】
なお、図２に示す、Ｇｒ．登録情報受信部３１と、ＣＨ情報受信部３２と、Ｇｒ．情報検索部３３と、Ｇｒ．情報取得部３４と、ＣＨ情報同報送信部３５のそれぞれで実行される手順を含むプログラムをコンピュータ読み取り可能な記録媒体に記録し、この記録媒体に記録されたプログラムをコンピュータシステムに読み込ませ、実行することによって本発明のチャンネル情報共有装置を実現することができる。ここでいうコンピュータシステムとは、ＯＳや周辺機器等のハードウェアを含む。
【００２７】
なお、図３に示す、Ｇｒ．登録情報作成部１１は、ユーザ入力に基づき、グルーピングされたユーザのグループ登録情報を作成しているが、本発明はこれに限られず、例えば、コンテンツサーバ３に接続しているユーザをコンテンツサーバ３が任意に選択してグルーピングし、当該グループにおいてユーザが楽しめるようにしてもよい。
【００２８】
また、「コンピュータシステム」は、ＷＷＷシステムを利用している場合であれば、ホームページ提供環境（あるいは表示環境）も含むものであってもよい。また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００２９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３０】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３１】
【図１】本発明実施形態に係わるチャンネル情報共有システムのシステム構成の一例を示す図である。
【図２】本発明実施形態に係わるコンテンツサーバの内部構成を機能展開して示したブロック図である。
【図３】本発明実施形態に係わる携帯電話端末の内部構成を機能展開して示したブロック図である。
【図４】本発明実施形態に係わるチャンネル情報共有システムの動作シーケンス図である。
【図５】本発明実施形態において使用されるグループ情報データベースのデータ構造の一例を示す図である。
【図６】本発明実施携帯に係わるコンテンツサーバの処理の流れを示すフローチャートである。
【図７】本発明実施形態に係わる携帯電話端末の処理の流れを示すフローチャートである。
【符号の説明】
【００３２】
１…携帯電話端末、２…ＴＶ受像機、３…コンテンツサーバ（チャンネル情報共有装置）、４…放送システム、５…ＩＰ網、６…携帯電話網、３１…Ｇｒ．登録情報受信部、３２…ＣＨ情報受信部、３３…Ｇｒ．情報検索部、３４…Ｇｒ．情報取得部、３５…ＣＨ情報同報送信部、３６…Ｇｒ．情報ＤＢ
【図１】
2006005896.tif 000003
【図２】
2006005896.tif 000004
【図３】
2006005896.tif 000005
【図４】
2006005896.tif 000006
【図５】
2006005896.tif 000007
【図６】
2006005896.tif 000008
【図７】
2006005896.tif 000009